(57)【要約】      （修正有）【課題】日常生活において、どんなに高い洒落たブリーフや抗菌ブリーフを利用しても、どうしても汚れてしまう下着の汚れを防ぐ快適なエチケット用品を提供する。【解決手段】まずこの用品自体の性格を、エチケット用品であることを位置づけて、誰もが購入しやすい環境を提供すること、そして素材は一般的に流通している安心安全なティシュを用いることにより、特殊な素材や、道具を用いずに環境にもやさしい用品である。また、ティシュ用品の処分と考えれば、一般ごみとして捨てられるし、水に溶ける素材を利用すれば処分も楽である。上述したように、その素材の持っている軽く通気性にも優れ、デオドラント効果も期待で来るものであり、エチケット用品として心理的にも安心して、購入しやすい。これらの結果、快適な下着ライフを提供できる。【選択図】図２
0003155718.tif 000002
【実用新案登録請求の範囲】
【請求項１】
男性用ブリーフ前面部の汚れやにおいを防ぐためのブリーフカバーであり、介護用や生理用の異物感の強い、異次元の物ではなく、においや汚れを防ぐ、エチケット用品である。
【請求項２】
特殊な吸水パッドなどを用いなく、ティシュを層状にして使用するので、使用法が簡単、快適であり、また、水に溶けるタイプのティシュ素材を利用すれば処分も楽である。
【請求項３】
ノーマルタイプのブリーフであれば、素材の摩擦で安定するが、特殊タイプのブリーフでは、安定用のテープを使用する。
【請求項４】
素材そのものは、一般に流通しているティシュや水に溶けるタイプのティシュである。
このような素材は、軽く通気性にも優れ、またデオドラント効果も期待できる、安定性、安全性は広く実証済みのものである。
これらの素材を使用することにより、安心で快適な下着ライフを提供できるものである。
【考案の詳細な説明】
【技術分野】
【０００１】本考案は、日常生活において、どんなに高い洒落たブリーフや抗菌ブリーフを利用しても、どうしても汚れてしまう下着のよごれやにおいを防ぐ快適なエチケット用品に関するものである。
【背景技術】
【０００２】男性用ブリーフの前面部裏側は、日常生活を営んでいる以上どうしても汚れてしまう。
お尻側は便利なウォシュレットを利用することによりかなり清潔に保てるが、前面部はウォシュレットを利用することができず、かなり心理的にも不安なことである。一般的には１日に何枚ものブリーフを使うことはあり得ないことである。
従来このような用品は、特殊な吸水パッドを利用した高価な生理用品や介護用品しか考えられず、そのため、誰もが購入を敬遠し、ほとんどの人は、むなしくまた寂しく洗濯するものであった。
【考案の開示】
【考案が解決しようとする課題】
【０００３】従来このような用品は、介護を必要とする人や女性の生理時の使用目的としている。
そのために、誰もが買いにくく、装着に関しても、重く大きく、日常生活に適さなかった。
また使用の処分も大変という欠点があった。
【課題を解決するための手段】
【０００４】本考案は、まずこの用品自体をエチケット用品であることを位置付けて、誰もが購入しやすい環境を提供すること。また処分がより簡単な素材（水溶性ティシュ）も選べるようにして、その素材の持っている優位性（通気、抗菌、デオドラント、など）を利用することを特徴とする。
【考案の効果】
【０００５】上述したように本考案は、誰もが購入しやすい安全で快適なこのエチケット用品を使用することにより、心理的にも安心して、快適な下着ライフを提供できるものである。
【考案を実施するための最良の形態】
【０００６】本考案のブリーフエチケットの素材そのものは、市販されているティシュとほぼ同じものを利用して、形態についても、極端なビキニパンツ型を除けば、ティシュの形状を４分の１ぐらいの形態が望ましい（詳細の図面は図１）、これにより新たな生産ラインを作ることなく、生産コストを抑えた製品が可能となり、誰もが安価で快適なこのエチケット用品を気兼ねなく購入し使用することができる。
【図面の簡単な説明】
【０００７】
【図１】本考案ブリーフエチケットを示した正面図である。厚手のティシュを層状に重ね、コーナー部を圧入プレスして、使用時には、切り取りラインで４分割して使用する。必要に応じて２分割使用も考えられる。コーナー部はティシュの感覚を残すため、又コスト削減のためにも、不要なラウンドカットを行わない。
【図２】本考案ブリーフエチケットを使用した正面透過図である。ブリーフの前面部裏側に付ける、一般的なブリーフは素材の摩擦による安定であるが、安定が必要なタイプは、シールタイプを使用する。
【符号の説明】
【０００８】１…切り取り用ライン    （ラインで４分割しやすいように）
２…圧入プレス          （糸は使わない）
３…層状のティシュ
４…男性用ブリーフ略図
５…ブリーフエチケット
６…安定用シールタイプ
【図１】
0003155718.tif 000003
【図２】
0003155718.tif 000004
【手続補正書】
【提出日】平成20年4月30日(2008.4.30)
【手続補正１】
【補正対象書類名】実用新案登録請求の範囲
【補正対象項目名】全文
【補正方法】変更
【補正の内容】
【実用新案登録請求の範囲】
【請求項１】
男性用ブリーフの前面部裏側に利用するエチケットティシュ用品。
【請求項２】
請求項１は、ティシュを複数層に重ね、四分の一にたたんだ形で各層が吸収、防臭、芳香、安定、などを計る厚さ３〜４ｍｍのティシュで形成される裏表の無い、使い捨てティシュ用品。
【請求項３】
形体は、［図面１］の様に複数層のティシュをわずかな水溶性の糊でコーナーを圧入固定し、ミシン目により縦横４分割した形体、若しくは、［図２］の様に複数層のティシュを四分の一にたたんで遊離部を水溶性の糊で固定したティシュ用品。
【請求項４】
エチケットをメインテーマにティシュの本来持つ、肌触りの良さ、デオドラント効果、通気性、吸水性、安定性、処理の安易さなどを活かした、上記請求項１〜３を特徴とするブリーフカバー。
【手続補正２】
【補正対象書類名】明細書
【補正対象項目名】０００７
【補正方法】変更
【補正の内容】
【０００７】
【図１】本考案ブリーフエチケットを示した正面図である。ティシュを複数層（８〜１２枚）に重ね、コーナー部を少量の水溶性糊で圧入プレスして、利用時には、ミシン目で作られた切り取りラインで４分割して利用する。必要に応じて２分割利用も考えられる。コーナー部はティシュの感覚を残すため、コスト削減のためにも、不要なラウンドカットを行わない。
【図２】若しくは、ティシュを複数層（３〜４枚）に重ね、縦横の中心部を折り目とした、ティシュの四分の一の大きさに形成し、遊離部の一箇所を少量の水溶性糊で固定した形体である。［図１］［図２］ともブリーフエチケットの色、柄は数種類準備する。
【図３】本考案ブリーフエチケットを使用した正面透過図である。ブリーフの前面部裏側に付ける、一般的なブリーフは素材の摩擦による安定であるが、安定が必要なタイプは、シールを使用する。
【手続補正３】
【補正対象書類名】図面
【補正対象項目名】全図
【補正方法】変更
【補正の内容】
【図１】
0003155718.tif 000005
【図３】
0003155718.tif 000006
【手続補正書】
【提出日】平成20年8月29日(2008.8.29)
【手続補正１】
【補正対象書類名】実用新案登録請求の範囲
【補正対象項目名】全文
【補正方法】変更
【補正の内容】
【実用新案登録請求の範囲】
【請求項１】
形成したティシュを用いて、男性用ブリーフの前面部裏側に利用する、ブリーフの汚れや臭いを適度に防ぐことを主としたティシュ用品。
【請求項２】
請求項１は、ティシュを複数層に重ね、四分の一にたたんだ形で各層が吸収、防臭、芳香、安定、などを計る厚さ３〜４ｍｍのティシュで形成される裏表の無い、使い捨てティシュ用品。
【請求項３】
形体は、複数層のティシュをわずかな水溶性の糊でコーナーを圧入固定し、ミシン目により縦横４分割した形体、若しくは、複数層のティシュを四分の一にたたんで遊離部を水溶性の糊で付着したもので、この用品は、ブリーフとの摩擦、または固定用シールを用いて安定を図る、ティシュ用品。
【請求項４】
健常な男性が気軽に購入、利用しやすくすることを考え、エチケットを前面に打ち出し、ティシュの本来持つ、肌触りの良さ、デオドラント効果、通気性、吸水性、安定性、処理の安易さなどを活かした、上記請求項１〜３記載のティシュ用品。
【手続補正書】
【提出日】平成20年12月19日(2008.12.19)
【手続補正１】
【補正対象書類名】実用新案登録請求の範囲
【補正対象項目名】全文
【補正方法】変更
【補正の内容】
【実用新案登録請求の範囲】
【請求項１】
素材は、吸水性の高いティシュ、または水洗で溶けるタイプのティシュを使用して、このティシュを複数層に形成させ、男性用ブリーフの前面部裏側に利用する、ブリーフの汚れや臭いを適度に防ぐことを主としたティシュ用品。
【請求項２】
形状は、ティシュを複数層に重ね、四分の一にたたんだ形で厚さ３〜４ｍｍのティシュで形成される裏表の無いティシュ用品。
【請求項３】
形体は、複数層のティシュをわずかな水溶性の糊でコーナーを圧入固定し、ミシン目により縦横４分割した形体、若しくは、複数層のティシュを四分の一にたたんで遊離部を水溶性の糊で付着したもので、この用品は、ブリーフとの摩擦、または固定用シールを用いて安定を図る、ティシュ用品。
【請求項４】
構造的には、高価な化学的な素材や処理の難しい高分子吸収体などは使わず、ティシュを層状にすることにより、各層のティシュが、化学的な素材や高分子吸収体の機能の代わり果たして、肌触りの良さ、通気性、吸水性、芳香性、安定性などを活かし、ティシュと同様な処理の安易さなども活かした、ティシュ用品。
【手続補正２】
【補正対象書類名】手続補正書
【補正対象項目名】手続補正２
【補正方法】追加
【補正の内容】
【手続補正２】
【補正対象書類名】図面
【補正対象項目名】全図
【補正方法】変更
【補正の内容】
【図１】
0003155718.tif 000007
【図２】
0003155718.tif 000008
【図３】
0003155718.tif 000009
【手続補正書】
【提出日】平成21年4月21日(2009.4.21)
【手続補正１】
【補正対象書類名】実用新案登録請求の範囲
【補正対象項目名】全文
【補正方法】変更
【補正の内容】
【実用新案登録請求の範囲】
【請求項１】
本考案は、吸水性が高く、水洗で溶けるタイプのティシュを主に使用して、男性用ブリーフの前面部裏側に利用する、ブリーフの汚れやにおいを適度に防ぐことを主とした、表裏の区別がない、ティシュ用品。
【請求項２】
形状は、ティシュを複数層に重ね、四分の一にたたんだ形で厚さ３〜４ｍｍのティシュで形成されることを特徴とする請求項１記載のティシュ用品。
【請求項３】
形体は、複数層のティシュをわずかな水溶性の糊でコーナーを圧入固定し、ミシン目により縦横４分割した形体、若しくは、複数層のティシュを四分の一にたたんだ形体を特徴とする請求項１記載のティシュ用品。
【請求項４】
素材、構造的には、高価な化学的な素材や処理の難しい高分子吸収体などは使わず、一般的に流通しているティシュを層状にすることにより、各層のティシュが、化学的な素材や高分子吸収体の機能の代わり果たして、肌触りの良さ、通気性、吸水性、芳香性、安定性などを活かし、ティシュと同様な処理の安易さなどを特徴とする、請求項１記載のティシュ用品。
【手続補正書】
【提出日】平成21年8月12日(2009.8.12)
【手続補正１】
【補正対象書類名】実用新案登録請求の範囲
【補正対象項目名】全文
【補正方法】変更
【補正の内容】
【実用新案登録請求の範囲】
【請求項１】
素材は、ティシュであり、これを折りたたんだ形でブリーフの内面部に複数層のティシュによる空隙を形成して保定する、ティシュ用品。
【請求項２】
形状は、ティシュを複数層に重ね、四分の一にたたんだ形で厚さ３〜４ｍｍのティシュで形成されることを特徴とする請求項１記載のティシュ用品。
【請求項３】
形体は、複数層のティシュをわずかな水溶性の糊でコーナーを圧入固定し、ミシン目により縦横４分割した形体、若しくは、複数層のティシュを四分の一にたたんだ形体を特徴とする請求項１記載のティシュ用品。
【請求項４】
素材、構造的には、高価な化学的な素材や処理の難しい高分子吸収体などは使わず、ティシュを層状にすることにより、各層のティシュが、化学的な素材や高分子吸収体の機能の代わり果たして、肌触りの良さ、通気性、吸水性、芳香性、安定性などを活かし、ティシュと同様な処理の安易さなどを特徴とする、請求項１記載のティシュ用品。
【手続補正２】
【補正対象書類名】明細書
【補正対象項目名】０００２
【補正方法】変更
【補正の内容】
【０００２】男性用ブリーフの前面部裏側は、日常生活を営んでいる以上どうしても汚れてしまう。お尻側は便利なウォシュレット（登録商標）を利用することによりかなり清潔に保てるが、前面部はウォシュレット（登録商標）を利用することができず、かなり心理的にも不安なことである。一般的には１日に何枚ものブリーフを使うことはあり得ないことである。
従来このような用品は、特殊な吸水パッドを利用した高価な生理用品や介護用品しか考えられず、そのため、誰もが購入を敬遠し、ほとんどの人は、むなしくまた寂しく洗濯するものであった。